(57)【要約】【課題】  スピンドルケースに対応したパッケージ（スピンドルケース用パッケージ）を提供することにある。【解決手段】  スピンドルケース用パッケージ１０は、スピンドルケース８０を収容する収容空間を備え、当該収容空間に形成されたスピンドルケース８０を挿入するための開口部７０にあって、挿入されたスピンドルケース８０の上面８１と対向する開口部７０の一辺２３から当該収容空間内へ傾斜する係止片２１を備え、当該係止片２１の先端部２２がスピンドルケース８０の上面円周方向へ形成された凸部８２に当接することを特徴としたものである。【選択図】  図１
2010241438.tif 000002
【特許請求の範囲】
【請求項１】
ＣＤ・ＤＶＤ等のディスク型メディアの中心孔に軸を通して当該メディアを積み重ねて収納するスピンドルケースを包装するためのスピンドルケース用パッケージであって、
当該スピンドルケース用パッケージは、スピンドルケースを収容する収容空間を備え、当該収容空間に形成されたスピンドルケースを挿入するための開口部にあって、挿入されたスピンドルケースの上面と対向する開口部の一辺から当該収容空間内へ傾斜する係止片を備え、当該係止片の先端部がスピンドルケースの上面円周方向へ形成された凸部に当接することを特徴としたスピンドルケース用パッケージ。
【請求項２】
係止片の先端部は、挿入されたスピンドルケースの上面と対向する当該収容空間の内壁側へ湾曲状又は折曲状に形成されたことを特徴とした請求項１記載のスピンドルケース用パッケージ。
【請求項３】
係止片は、挿入されたスピンドルケースの上面を被覆する当該収容空間の正面部上辺から当該収容空間内へ折り込まれ、または、当該収容空間の底面部を延伸して正面部裏側上辺から当該収容空間内へ折り込まれることを特徴とする請求項１又は２記載のスピンドルケース用パッケージ。
【請求項４】
挿入されたスピンドルケースの側面を被覆する当該収容空間の側面部は、当該収容空間の開口部において膨らむことなくスピンドルケースの側面と密接していることを特徴とする請求項１から３のいずれかに記載のスピンドルケース用パッケージ。
【発明の詳細な説明】
【技術分野】
【０００１】
本願発明は、ＣＤ・ＤＶＤ（次世代ＤＶＤを含む。以下同じ）等のディスク型メディアの中心孔に軸を通して当該メディアを積み重ねて収納するスピンドルケースを包装するためのスピンドルケース用パッケージに関するものである。
【背景技術】
【０００２】
従来より、ＣＤ・ＤＶＤ等のディスク型メディアを収納するケースとしては種々のものがあるが、その１つに、スピンドルケースがある。スピンドルケースとはＣＤ・ＤＶＤの中心孔に軸を通して当該メディアを積み重ねて収納するケースである（特許文献１〜３等を参照）。このスピンドルケースの特徴は、大量（５０枚や１００枚など）のメディアをかさばらずに収納できる点にある。
【先行技術文献】
【特許文献】
【０００３】
【特許文献１】特開２００６−０１６３４号公報
【特許文献２】特開２００６−０１６３５号公報
【特許文献３】特開２００６−３６３６１号公報
【発明の開示】
【発明が解決しようとする課題】
【０００４】
ところで、ＣＤ・ＤＶＤ等のディスク型メディアをスピンドルケースに収納して出荷・販売する場合に、このスピンドルケースを包装するパッケージが必要になる。パッケージをしないでスピンドルケースのままで出荷・販売すると、このスピンドルケースが破損する危険性があるためである。
スピンドルケースのパッケージとしては、熱収縮フィルムを用いた「シュリンク包装」が考えられる。しかし、シュリンク包装には以下のような問題がある。
（１）販売時にフィルムが破損すると、販売できなくなる。
（２）包装費用（コスト）が高くつく。
（３）静電気によってフィルムにホコリやゴミが付着しやすい。
（４）作業時（シュリンク包装作業時）の効率が悪い。
（５）熱収縮フィルムを厚くして破損対策を実施すると、開封しにくい。
（６）熱収縮フィルムへの印刷ロットは、多量で在庫過多になる。
【０００５】
そのため、「シュリンク包装」以外にスピンドルケースを簡単かつ確実さらに低コストでパッケージする技術が求められる。
そこで、本願発明者は、このスピンドルケースに対応したパッケージ（スピンドルケース用パッケージ）を提供することを目的として本願発明を完成するに至った。
【課題を解決するための手段】
【０００６】
上記目的を達成するために、第１の発明は、ＣＤ・ＤＶＤ等のディスク型メディアの中心孔に軸を通して当該メディアを積み重ねて収納するスピンドルケースを包装するためのスピンドルケース用パッケージであって、当該スピンドルケース用パッケージは、スピンドルケースを収容する収容空間備え、当該収容空間に形成されたスピンドルケースを挿入するための開口部にあって、挿入されたスピンドルケースの上面と対向する開口部の一辺から当該収容空間内へ傾斜する係止片を備え、当該係止片の先端部がスピンドルケースの上面円周方向へ形成された凸部に当接することを特徴としたものである。
第２の発明は、係止片の先端部が、挿入されたスピンドルケースの上面と対向する当該収容空間の内壁側へ湾曲状又は折曲状に形成されたことを特徴とした同スピンドルケース用パッケージである。
第３の発明は、係止片は、挿入されたスピンドルケースの上面を被覆する当該収容空間の正面部上辺から当該収容空間内へ折り込まれ、または、当該収容空間の底面部を延伸して正面部裏側上辺から当該収容空間内へ折り込まれることを特徴とする同スピンドルケース用パッケージである。
第４の発明は、挿入されたスピンドルケースの側面を被覆する当該収容空間の側面部は、当該収容空間の開口部において膨らむことなくスピンドルケースの側面と密接していることを特徴とする同スピンドルケース用パッケージである。
【発明の効果】
【０００７】
本願発明によれば、以下のような効果を有する。
（１）スピンドルケース用パッケージの係止片が収容空間内を傾斜し、収容空間へ収容されたスピンドルケースの上面凸部に当接することで、この係止片が返し機能を発揮して収容空間からスピンドルケースの抜け落ち又は取り外しを防止できる。
（２）特に、係止片の先端部が湾曲状又は折曲状に形成されたことで、スピンドルケースとの当接面積が増えるとともに、係止片をスピンドルケース側へ不勢（係止片の湾曲状又は折曲状に形成された先端部によるスプリングバック機能＝折り曲げ復元作用）するので、スピンドルケースとの当接の安定性・確実性が向上する。
（３）なお、係止片のスプリングバック機能は、上記（２）で記載したスピンドルケースの上面凸部に当接する先端部と、係止片を形成するために折り曲げた収容空間開口部の一辺との２箇所にあることで、スピンドルケースに密着する圧力が増幅され、より確実な収容空間からスピンドルケースの抜け落ち又は取り外しを防止できる。
（４）また、スピンドルケースの上面凸部に当接する先端部の湾曲又は折曲により、パッケージ係止片の強度が増し、引き抜き作用による係止片先端部（特に、上面凸部との当接部分）の変形（潰れ）による破損を防止できる。
（５）スピンドルケース用パッケージは、スピンドルケースの半分（中心点または中心点付近を通る中心線部分＝直径部分の下半分）をカバー（被覆）することで、スピンドルケースの外周最大幅（最大径）部分を収容することになるので、収容されたスピンドルケースの転がり性やスピンドルケース用パッケージからの脱落を防止するとともに、パッケージ側面に発生する余分な空間を排除している（その効果は下記（８）に記載）。
（６）スピンドルケース自体は、樹脂成型時の収納性を高めるために、傾斜角（テーパー形状）を持っているので縦方向に自立できない。しかし、スピンドルケース用パッケージはスピンドルケースを立てて（縦方向に）収容するので、店頭での販売時に顧客に対してインパクトを与えたり、アピールできる。また、パッケージ部分に様々な情報や広告等を記載・印刷できる。
（７）係止片が正面部又は底面部を延伸したものを折り込むことで、簡単かつ確実さらに低コストで係止片を提供できる。
（８）収容空間の側面部が収容空間の開口部において膨らむことなくスピンドルケースの側面と密接していることで、確実にスピンドルケースの抜け落ち又は取り外しを防止できる。すなわち、収容空間の側面部がスピンドルケースの側面と密接していないと、収容空間の側面部が押されて、スピンドルケース用パッケージの正面部が脹らみやすくなりスピンドルケースの抜け落ち又は取り外しの原因となり得る。
（９）スピンドルケース用パッケージを紙製のものにすることで、パッケージの軽量化を図れるとともに、その他の余分な包装を不要にして環境負荷の少ないエコロジーなパッケージを提供できる。また、その結果、低コストで提供できる。
（１０）スピンドルケース用パッケージからＣＤ・ＤＶＤ等のディスク型メディアが梱包されているスピンドルケースを取り出す際に、当該パッケージから取り出すためのミシン目をパッケージ側面部または正面部に、或いは係止片を形成する開口部の一辺に入れることで、容易にスピンドルケースを取り出すことができるようになる。
（１１）スピンドルケース用パッケージの係止片を切り取ることで、円筒状のスピンドルケースを転がすことなく保管できる（スピンドルケース用パッケージを保管用ケースにできる）。
（１２）スピンドルケース用パッケージにスピンドルケースを収容することで、樹脂成型されたスピンドルケースの落下破損を防止できる。
（１３）スピンドルケース用パッケージの側面に、録音・録画等したＣＤ・ＤＶＤ等のディスク型メディアの記録内容を記載する欄を設けることで、保存内容が確認できる構造となっている。
【図面の簡単な説明】
【０００８】
【図１】本願発明に係るスピンドルケース用パッケージを示す斜視図。
【図２】本願発明に係るスピンドルケース用パッケージを示す縦断面図（その１）。
【図３】本願発明に係るスピンドルケース用パッケージを示す縦断面図（その２）。
【図４】本願発明に係るスピンドルケース用パッケージを示す横断面図。
【図５】本願発明に係るスピンドルケース用パッケージを示すその他の斜視図。
【図６】本願発明に係るスピンドルケース用パッケージを示すその他の斜視図。
【図７】本願発明に係るスピンドルケース用パッケージの使用状態を示す説明図。
【発明を実施するための形態】
【０００９】
本願発明の実施形態を図面に基づいて説明する。
図１は、本願発明に係るスピンドルケース用パッケージを示す斜視図である。図１に示すように、スピンドルケース用パッケージ１０は、ＣＤ・ＤＶＤ等のディスク型メディアの中心孔に軸を通して当該メディアを積み重ねて収納するスピンドルケース８０を包装するためのパッケージである。このスピンドルケース用パッケージ１０は、単に出荷時や販売時におけるスピンドルケース８０の破損を防止するために設けられるだけでなく、以下のような目的・効果も提供できるものである。
（１）スピンドルケース８０を立てて出荷できるため、搬送容器（段ボール箱等）に効率良く収納でき、搬送に適している（基本的にスピンドルケース８０は平積状態で出荷されるため、収納した搬送容器内に隙間が多く残る欠点があった）。
（２）スピンドルケース８０を立てて販売できるため、店頭で目立つように陳列でき、また、効率良く陳列できる（基本的にスピンドルケース８０は店頭において平積であり、目立つように陳列できず、また、陳列しづらい欠点があった）。
（３）スピンドルケース８０に十分な情報・広告スペースを提供できる（スピンドルケース８０のみでは情報・広告スペースに限りがある）。
【００１０】
スピンドルケース８０を立てて収容する収容空間は、正面部２０，背面部３０，左右側面部４０，５０，底面部６０から構成されており、底面部６０に対向する部分にスピンドルケース８０を挿入するための開口部７０が形成されている。開口部７０から収容空間に挿入されたスピンドルケース８０は、簡単にこのスピンドルケース用パッケージ１０が外れない構造になっている。その構造については、次の図２及び図３で詳細に説明する。なお、スピンドルケース用パッケージ１０からスピンドルケース８０を取り出すために、スピンドルケース用パッケージ１０に切り口となるミシン目１１などを入れてもよい。
また、スピンドルケース用パッケージ１０の背面部３０は、スピンドルケース８０の下面８５を全て覆うように形成するとよい。これによって、スピンドルケース８０の破損防止・汚れ防止となる。但し、収容空間を構成する部分以外の背面部３０は、スピンドルケース８０と同じ形状であることが好ましい。スピンドルケースより大きいとパッケージの破損のおそれがあり、スピンドルケースより小さいと破損防止・汚れ防止効果が減少してしまうからである。
【００１１】
図２及び図３は、本願発明に係るスピンドルケース用パッケージを示す縦断面図である。図２及び図３に示すように、挿入されたスピンドルケース８０の上面８１と対向する開口部７０の一辺から当該収容空間内へ傾斜する係止片２１，６１を備え、当該係止片２１，６１の先端部２２，６２がスピンドルケース８０の上面８１円周方向へ形成された凸部８２に当接する。すなわち、収容空間へ挿入されたスピンドルケース８０に対して、この係止片２１，６１が返し機能を発揮して収容空間からスピンドルケース８０の抜け落ち又は取り外しを防止できる。そして、図２の場合は、係止片２１が正面部２０の上辺２３から収容空間内へ折り込まれる構造となっている。また、図３の場合は、係止片６１が底面部６０を延伸して正面部２０裏側の上辺６３から収容空間内へ折り込まれる構造となっている。
【００１２】
ここで、係止片２１，６１の先端部２２，６２は、挿入されたスピンドルケース８０の上面８１と対向する収容空間の内壁側へ湾曲状又は折曲状に形成されるとよい。このようにすることで、スピンドルケース８０（凸部８２）との当接面積が増える。それとともに、係止片２１，６１の先端部２２，６２がスピンドルケース８０の上面８１と対向する収容空間の内壁に接触し、これがスプリング作用を発揮して係止片２１，６１をスピンドルケース８０側へ不勢するので、スピンドルケース８０（凸部８２）との当接の安定性・確実性が向上するからである。
【００１３】
図４は、本願発明に係るスピンドルケース用パッケージを示す横断面図である。図４に示すように、スピンドルケース用パッケージ１０（特に収容空間）は、スピンドルケース８０と密着・密接していることが重要である。特に、収容空間を形成する左右側面部４０，５０とスピンドルケース８０の間に間隙があると、この部分が指で押さえられることによって正面部２０が外側へ膨らみ、係止片２１，６１とスピンドルケース８０の凸部８２との当接状況（係止状況）が無くなる。そのため、スピンドルケース８０がスピンドルケース用パッケージ１０から抜け落ち又は取り外されてしまう危険性があるからである。
【００１４】
図５及び図６は、本願発明に係るスピンドルケース用パッケージを示すその他の斜視図である。
図４で説明した通り、スピンドルケース用パッケージ１０（特に収容空間）は、スピンドルケース８０と密着・密接していることが重要である。そして、正面部２０とスピンドルケース８０（上面８１）の間も同様に密着・密接していることが重要である。
このために、図５では、スピンドルケース８０の中心部に形成された中央突起部８３と接触する平面部２０の部分を切取片２５として切り取り可能とすることで、平面部２０の膨らみを防止して、正面部２０及び係止片２１が中央突起部８３に接触することなくスピンドルケース８０（上面８１）と密着・密接するようにしている。
【００１５】
また、図６では、係止片２１の折り込み部分（上辺２３）に緩やかに湾曲する切れ込み２４を入れたものである（図６（Ａ）参照）。これにより、少なくとも係止片２１は中央突起部８３と接触することがなくなる。この時、平面部２０は中央突起部８３と接触することにはなるが、中央突起部８３は凸部８２と同じ高さであるため、平面部２０が膨らむような状態にはならない。従って、スピンドルケース８０（上面８１）と密着・密接することができるとともに、中央突起部８３を平面部２０で保護することができる（図６（Ｂ）参照）。なお、図６は、係止片２１で説明したが、係止片６１の場合も同様に適用できる。
【００１６】
図７は、本願発明に係るスピンドルケース用パッケージの使用状態を示す説明図である。
図７（Ａ）〜（Ｃ）に示す搬送容器９０は、本願出願人によって発明・出願された搬送容器である（特願２００８−１９３３２９号）。この搬送容器９０は外段ボール（外装材）９１と内段ボール（内装材）９２からなる搬送容器であって、この搬送容器９０にトレー９３に載置されてスピンドルケース用パッケージ１０，１０，…が箱詰めされている。搬送容器９０は、まず外段ボール（外装材）９１を四方へ展開し（図７（Ｂ））、次に、内段ボール（内装材）９２を取り外す（図７（Ｃ））。すると、トレー９３に載ったスピンドルケース用パッケージ１０，１０，…が現れる（図７（Ｄ））。そして、このトレー９３に載せたままの状態でスピンドルケース用パッケージ１０を店頭に陳列し、販売することができる（図７（Ｅ））。販売員にとっては、本願発明に係るスピンドルケース用パッケージ１０と本願出願人の発明・出願に係る搬送容器９０とによって、スピンドルケースを極めて効率良く店頭に陳列し、販売できる。
【産業上の利用可能性】
【００１７】
本願発明に係るスピンドルケース用パッケージは、ＣＤ・ＤＶＤ等のディスク型メディアの中心孔に軸を通して当該メディアを積み重ねて収納するスピンドルケースを包装するためのパッケージとして幅広く利用することができる。
【符号の説明】
【００１８】
１０  スピンドルケース用パッケージ
１１  ミシン目
２０  正面部
２１  係止片
２２  先端部
２３  上辺
２４  切れ込み
２５  切取片
３０  背面部
４０  右側面部
５０  左側面部
６０  底面部
６１  係止片
６２  先端部
６３  上辺
７０  開口部
８０  スピンドルケース
８１  上面
８２  凸部
８３  中央突起部
８５  下面
９０  搬送容器
９１  外段ボール（外装材）
９２  内段ボール（内装材）
９３  トレー
【図１】
2010241438.tif 000003
【図２】
2010241438.tif 000004
【図３】
2010241438.tif 000005
【図４】
2010241438.tif 000006
【図５】
2010241438.tif 000007
【図６】
2010241438.tif 000008
【図７】
2010241438.tif 000009